(57)【特許請求の範囲】
【請求項１】
加熱コイルと、前記加熱コイルに供給する高周波電流を制御するスイッチング素子が含まれるインバータ回路と、前記スイッチング素子の導通時間を変更する制御部と、前記インバータ回路が入力する交流電源の電圧を検知して前記交流電源の低下又は前記交流電源の供給停止に応じた信号を出力する入力検知手段と、前記交流電源を整流してインバータ回路に供給する整流回路と、前記整流回路よりも交流電源側のラインに接続されて前記交流電源の位相を検知し前記交流電源と同期した信号を前記制御部に出力する位相検知手段とを備え、前記制御部は、前記位相検知手段の出力と入力電流検知手段によって所定の位相での入力電流の値を検知して所定の位相での火力に対応する設定電流値と等しくなるように前記導通時間を増減し、前記位相検知手段から周期的でない信号を入力すると、前記スイッチング素子の導通時間の変更を停止するとともに、前記入力検知手段から前記交流電源の電圧が低下した信号又は前記交流電源が供給停止した信号を入力した後、前記位相検知手段の出力信号の周期性が回復したり、前記交流電源の電圧復帰時において急激に前記火力が入力されることをなくすべく前記スイッチング素子の導通時間を短くして前記火力を減らすようにするか、または加熱を停止してなる誘導加熱調理器。
【請求項２】
入力検知手段は、整流回路よりも交流電源側のラインに接続されて整流回路の入力電圧を検知してなる請求項１記載の誘導加熱調理器。
【請求項３】
入力検知手段は、整流回路の出力端子からインバータ回路へと入力するラインに接続されて、インバータ回路の入力電圧を検知してなる請求項１記載の誘導加熱調理器。
【請求項４】
インバータ回路が入力する交流電源の電圧を検知して前記交流電源の低下又は前記交流電源の供給停止に応じた信号を出力する入力検知手段に代え、加熱動作時の整流回路への入力電流を検知して、スイッチング素子の導通時間に対して入力電流が所定量より少ない場合には前記交流電源が低下した信号を制御部に出力してなる入力検知手段を備えた請求項１記載の誘導加熱調理器。
【請求項５】
制御部は、使用者が手動による制御命令を入力する入力手段を備え、位相検知手段から周期的でない信号を入力され、前記スイッチング素子の導通時間の変更を停止している場合に、前記入力手段に前記制御命令が入力された後、前記入力手段に入力されたキーの種類によって加熱を停止し又はスイッチング素子の導通時間を増加若しくは減少してなる請求項１〜４のいずれか１項に記載の誘導加熱調理器。
【請求項６】
制御部は、位相検知手段の出力が所定期間検知されず、スイッチング素子の導通時間の変更を停止している場合に、再び前記位相検知手段の出力を検知した後、急激に前記火力が入力されることをなくすべく前記スイッチング素子の導通時間を一旦短くして前記火力を減らすようにするか、または加熱を停止し、再度加熱開始してなる請求項１〜５のいずれか１項に記載の誘導加熱調理器。
【発明の詳細な説明】
【０００１】
【発明の属する技術分野】
本発明は、一般家庭及びレストランなどで使用される加熱調理器に関するものである。
【０００２】
【従来の技術】
従来、この種の電源位相検知手段を備えた誘導加熱調理器の構成として、例えば、図８に記載されているようなものがあった。図８は、従来の位相検知手段を有した誘導加熱調理器の回路構成を示すもので、図９にノイズが重畳されない場合の各部の波形、図１０にノイズが重畳された場合の各部の波形を示してある。
【０００３】
以下、従来の誘導加熱調理器の構成と動作について、図８、９、１０を用いて説明する。
【０００４】
図８において、１は交流電源である商用電源、２は整流回路、３は平滑コンデンサで整流回路２の出力を平滑している。４はインバータ回路でスイッチング素子４ａと共振コンデンサ４ｂから構成されており、平滑コンデンサ３によって平滑された電源が入力され、５の加熱コイルへと高周波電流を供給し、図には特に記載していないが加熱コイル５の上に置かれた被加熱物（鍋等）を加熱する。６は制御部で、主としてスイッチング素子４ａの導通時間を出力してオンオフを行い、制御部６が導通時間を変更することで加熱コイル５への高周波電流を制御する。また、制御部６は使用者が制御命令を入力する入力手段６ａと入力電流検知手段６ｂを備えている。
【０００５】
７は位相検知手段で、整流回路２よりも電源側のラインに接続され、電源位相に同期したパルスを制御部に出力する。
【０００６】
以上のように構成された従来例の誘導加熱調理器について、その動作を説明する。
【０００７】
商用電源１から供給された電力は整流回路２によって整流され、平滑コンデンサ３によって平滑されて、インバータ回路４へと入力される。インバータ回路４を構成するスイッチング素子４ａが導通すると、加熱コイル５には平滑コンデンサ３の放電電流が流れる。その後、スイッチング素子４ａがオフすると加熱コイル５と共振コンデンサ４ｂは共振回路を形成し、加熱コイル５には共振電流が流れる。すなわち、スイッチング素子４ａの導通時間により加熱コイルに流れる電流が制御される。
【０００８】
スイッチング素子４ａの駆動は制御部６によって行われ、制御部６は使用者が制御命令を入力する入力手段６ａによって設定した火力となるように、入力電流検知手段６ｂから出力される信号により入力電流を検知して、設定した火力に応じた入力電流となる様にスイッチング素子４ａの導通時間を増減する変更を行い誘導加熱による火力を制御する。
【０００９】
入力電流検知手段６ｂから出力される信号により入力電流を検知する際、位相検知手段７の出力により商用電源１が反転する位相を検知した後、次に反転する信号が来る迄の所定時間後に制御部６が入力電流検知手段６ｂによって所定の位相での入力電流の値を検知し、火力に対応する所定の位相での設定電流値と等しくなる様に導通時間を増減する変更を行い制御する。
【００１０】
よって、ノイズ等による誤動作で位相検知手段７が商用電源１が反転する位相でないタイミングで信号を出力すると、周期的でない信号が制御部に入力されるため、位相検知手段７の出力を検知して所定時間後に制御部が入力電流の値を検知する際に、所定の位相での入力電流が検知されず、設定した火力と異なる火力に制御される。
【００１１】
すなわち、位相検知手段７の出力を検知した後、商用電源１の１／４周期後であるピーク位相において制御部６が入力電流の値を検知する制御であれば、位相検知手段７が商用電源１が反転する位相でないタイミングで信号を出力すると、制御部６が入力電流の値を検知するタイミングがピーク位相以外の低い入力電流を検知するため、制御部６は設定火力で加熱しているにもかかわらず設定火力よりも低い火力で加熱していると判断して火力を高めに制御すべくスイッチング素子４ａの導通時間を増加する変更を行う。
【００１２】
図９、１０において、（ａ）は交流電源である商用電源１の電圧波形、（ｂ）は整流回路２の出力波形、（ｃ）は位相検知手段７の出力信号、（ｄ）は入力電流検知手段６ｂによる検知タイミング、（ｅ）はスイッチング素子４ａの導通時間をそれぞれ縦軸にとり、横軸を時間とした経時変化を示しており、図９はノイズが重畳されない場合の各部の波形、図１０はノイズが重畳された場合の各部の波形を示してある。
【００１３】
図９の様に、（ａ）に示す商用電源１にノイズが重畳されていない場合、整流回路２の出力波形（ｂ）は全波整流されてインバータ回路４へ電力を供給し、（ｃ）に示す位相検知手段７の出力は、Ａ−ＡからＦ−Ｆの点線で示す商用電源１が反転するタイミングにおいて、制御部６へとパルスを出力する。
【００１４】
制御部６は、位相検知手段７の出力によって商用電源１が反転する位相を検知した後、１／４周期後に入力電流検知手段６ｂから出力される入力電流の値を検知し、設定電流値と等しくなる様に導通時間を増減する変更を即座に行う。
【００１５】
（ｅ）に示すように、制御部６によって出力されるスイッチング素子４ａの導通時間は、入力電流検知手段６ｂの信号を読み込む検知タイミングで変更され、点線Ａ−Ａから１／４周期経過後の検知タイミングでは減少、点線Ｂ−Ｂから１／４周期経過後の検知タイミングでは増加を行い、所定の火力が得られるように調整している。
【００１６】
図１０には、（ａ）に示す商用電源１について斜線部に示す部分にノイズが重畳された場合の各部の波形を示す。整流回路２の出力波形（ｂ）は、平滑コンデンサ３によってノイズ成分は平滑されて、インバータ回路４に入力される。
【００１７】
しかし、位相検知手段の出力波形（ｃ）はノイズの影響を受けて周期的でなくなり、ノイズが重畳されている間、商用電源１の位相が反転する信号を出力している。（ｄ）に示すように入力電流検知手段６ｂの検知タイミングは、本来であれば点線Ｃ−Ｃから１／４周期経過後に検知タイミングが来るべきところ、実線Ｇ１−Ｇ１から１／４周期経過後に検知し、同様に、点線Ｄ−Ｄを誤検知して実線Ｇ２−Ｇ２から１／４周期経過後に検知している。よって、（ｅ）に示すように、商用電源１のピークから外れた低い位相での入力電流を検知するため、入力電流を増加すべくスイッチング素子４ａの導通時間を増加する制御となる。
【００１８】
また、所定の時間が経過しても位相検知出力７の出力信号が検知できない点線Ｇ３の場合は、電源が供給されない停電状態と判断してスイッチング素子４ａの導通時間を零として加熱を停止する場合もあり、電源が供給されているにもかかわらず、ノイズによる誤動作で加熱できなくなっていた。
【００１９】
【発明が解決しようとする課題】
しかしながら、前記従来の構成では、ノイズといった電源異常によって位相検知手段７の出力信号が周期的でなくなった場合には、スイッチング素子４ａの導通時間を変化させて、導通時間を小さく、或いは停止するため、断続的に電源異常が発生して位相検知手段の出力信号が周期的でなくなった場合には、加熱停止の状態が度々発生して火力が弱くなる、或いは加熱できなくなるという課題があった。
【００２０】
【課題を解決するための手段】
前記従来の課題を解決するために、本発明の誘導加熱調理器は、加熱コイルと、前記加熱コイルに供給する高周波電流を制御するスイッチング素子が含まれるインバータ回路と、前記スイッチング素子の導通時間を変更する制御部と、前記インバータ回路の入力する交流電源の電圧を検知して前記交流電源の低下又は前記交流電源の供給停止に応じた信号を出力する入力検知手段と、前記交流電源を整流してインバータ回路に供給する整流回路と、前記整流回路よりも交流電源側のラインに接続されて前記交流電源の位相を検知し前記交流電源と同期した信号を前記制御部に出力する位相検知手段とを備え、前記制御部は、前記位相検知手段の出力と入力電流検知手段によって所定の位相での入力電流の値を検知して所定の位相での火力に対応する設定電流値と等しくなるように前記導通時間を増減し、前記位相検知手段から周期的でない信号を入力すると、前記スイッチング素子の導通時間の変更を停止するとともに、前記入力検知手段から前記交流電源の電圧が低下した信号又は前記交流電源が供給停止した信号を入力した後、前記位相検知手段の出力信号の周期性が回復したり、前記交流電源の電圧復帰時において急激に前記火力が入力されることをなくすべく前記スイッチング素子の導通時間を短くして前記火力を減らすようにするか、または加熱を停止してなることによりノイズ等による電源異常によって位相検知手段の出力信号が周期的でなくなり、検知タイミングが所定の位相からずれて入力電流量と設定電流値に差が発生して制御部による火力調節が設定された火力と異なる値に調節されたり、断続的に電源低下を誤検知して加熱停止することで設定された火力が得られなくなる場合に、スイッチング素子の導通時間を一定としてインバータ回路の動作を継続することにより、加熱停止する機会を減らすことを可能とするものである。
【００２１】
さらに、インバータ回路の入力部に備えられた平滑コンデンサの電圧が変化したことを入力検知手段によって検知した場合には、スイッチング素子の導通時間を増減、或いは停止するといった変化を行うことにより、位相検知手段の出力信号が周期性が回復したり、電圧復帰時において急激に火力が入力されることがなく安定した動作が確保される。
【００２２】
また、所定の時間が経過しても位相検知出力の出力信号が検知できない場合、電源が供給されているのかどうか入力検知手段から連続してインバータ回路に入力する電圧を検知し、その間、スイッチング素子の導通時間は一定のままとしてインバータ回路の動作は継続される。よって、単に位相検知出力の出力信号が周期的でなくなり検知されないために停電状態と見なしてスイッチング素子のオンオフを停止することがないため、電源が供給されているにもかかわらず、ノイズにより加熱停止する機会を減らすことが可能となる。
【００２３】
また、スイッチング素子が所定の導通時間でオンオフしているにも関わらず入力電流検知手段で検知される電流量が少ない場合には、平滑コンデンサの電圧が低い、或いは被加熱物が不適当であると判断して加熱を制御するため、電源復帰時の安定した動作が確保されると共に、フォークやナイフといった誘導加熱するのに不適当な負荷を継続して加熱することを防ぎ、安全、且つ安定した動作が確保される。
【００２４】
【発明の実施の形態】
請求項１に記載の発明は、加熱コイルと、前記加熱コイルに供給する高周波電流を制御するスイッチング素子が含まれるインバータ回路と、前記スイッチング素子の導通時間を変更する制御部と、前記インバータ回路の入力する交流電源の電圧を検知して前記交流電源の低下又は前記交流電源の供給停止に応じた信号を出力する入力検知手段と、前記交流電源を整流してインバータ回路に供給する整流回路と、前記整流回路よりも交流電源側のラインに接続されて前記交流電源の位相を検知し前記交流電源と同期した信号を前記制御部に出力する位相検知手段とを備え、前記制御部は、前記位相検知手段の出力と入力電流検知手段によって所定の位相での入力電流の値を検知して所定の位相での火力に対応する設定電流値と等しくなるように前記導通時間を増減し、前記位相検知手段から周期的でない信号を入力すると、前記スイッチング素子の導通時間の変更を停止するとともに、前記入力検知手段から前記交流電源の電圧が低下した信号を入力した後、前記位相検知手段の出力信号の周期性が回復したり、前記交流電源の電圧復帰時において急激に前記火力が入力されることをなくすべく前記スイッチング素子の導通時間を短くして前記火力を減らすようにするか、または加熱を停止してなることにより、ノイズ等による電源異常によって位相検知手段の出力信号が周期的でなくなっても、電源低下を誤検知して加熱停止することなく、スイッチング素子の導通時間を一定としたインバータ回路の動作を継続することにより、加熱停止となる機会を減らすことが可能となるとともに、入力検知手段により電源供給が停止したことが検知された場合には、スイッチング素子の導通を停止することで、電源復帰時に急激に火力が入力されることがなく安定した動作が確保される。
【００２５】
請求項２に記載の発明は、特に、請求項１に記載の入力検知手段は、整流回路よりも交流電源側のラインに接続され、整流回路への入力電圧を検知することで等価的にインバータ回路への電源供給の有無を検知することが可能であり、さらに、入力検知回路の入力段を構成する分圧抵抗が位相検知手段と共有可能であるため、安価に請求項１と同等の効果を得ることが可能となる。
【００２６】
請求項３に記載の発明は、特に、請求項１に記載の入力検知手段は、整流回路の出力端子からインバータ回路へと入力するラインに接続され、平滑コンデンサが備えられたインバータ回路への入力電圧を検知することで、請求項２よりもノイズの影響による電源低下の誤検知を減らすことが可能であり、請求項１と同等の効果を得ることが可能となる。
【００２７】
請求項４に記載の発明は、特に、請求項１に記載の入力検知手段は、インバータ回路が入力する交流電源の電圧を検知して前記交流電源の低下又は前記交流電源の供給停止に応じた信号を出力する入力検知手段に代え、加熱動作時の整流回路への入力電流を検知し、スイッチング素子の導通時間に対して入力される電流量が所定量より少ない場合には、交流電源が低下した信号を制御部に出力してなるので、制御部が交流電源の電圧が低い、或いは被加熱物が不適当であると判断してスイッチング素子の導通時間を短くして、または加熱を停止するため、請求項１と同様に電源復帰時の安定した動作が確保されると共に、フォークやナイフといった誘導加熱に不適当な負荷を継続して加熱することを防ぎ、安全、且つ安定した動作が確保される。
【００２８】
請求項５に記載の発明は、請求項１〜４のいずれか１項に記載の構成に加えて手動による加熱停止制御を行うための制御命令を入力する入力手段を備え、位相検知手段の出力が周期的でなくなり、制御部が火力を調節せずにスイッチング素子の導通時間は一定のままインバータ回路が動作を継続している場合において、入力手段からの前記制御命令の入力を検知することで現状と異なる制御が必要であると判断して、加熱を停止することにより、手動による停止制御を可能とし、かつノイズ等による電源の低下を誤検知して加熱停止する機会を減らすことが可能となる。
【００２９】
請求項６に記載の発明は、請求項１〜５のいずれか１項に記載の構成を有するとともに、所定の期間に位相検知手段の出力が検知されず、制御部が火力を調節せずにスイッチング素子の導通時間は一定のままインバータ回路が動作を継続している場合において、再び位相検知手段の出力を検知した場合にはスイッチング素子の導通時間を一旦短くして火力を減らすようにするか、または加熱を停止し、再度加熱開始後、導通時間の増減といった火力調節の制御を行うことにより、請求項１と同様に加熱停止する機会を減らすことが可能となるとともに、電源復帰時に急激に火力が入力されることがなく安定した動作が確保される。
【００３０】
【実施例】
以下本発明の実施例について、図面を参照しながら説明する。
【００３１】
（実施例１）
図１は、本発明の第１の実施例における誘導加熱調理器の構成を示すもので、図２は前記図１を構成する各回路ブロックの波形を示すものである。
【００３２】
図１において、商用電源１、整流回路２、平滑コンデンサ３、インバータ回路４とその構成要素であるスイッチング素子４ａ及び共振コンデンサ４ｂ、加熱コイル５、制御部６とその構成要素の入力手段６ａ及び入力電流検知手段６ｂ、位相検知手段７について、構成とその接続は従来例と同様であり、８の入力検知手段はインバータ回路４に入力される電源を検知するために平滑コンデンサ３の電圧を検知して制御部６へと情報を出力している。
【００３３】
以上のように構成された誘導加熱調理器について、その動作を説明する。
【００３４】
まず、従来例と同様に、商用電源１から供給された電力は整流回路２を介して平滑コンデンサ３で平滑され、インバータ回路４へと入力される。インバータ回路４内部のスイッチング素子４ａを制御部６からの信号によりオンオフすることで、加熱コイル５には高周波電流が流れ、誘導加熱を行う。
【００３５】
７は位相検知手段で、交流電源である商用電源１と同期した信号が出力され、前記位相検知手段７の出力信号に基づいて、制御部はピーク位相での入力電流検知手段６ｂによる入力電流量の検知を行い、火力に対応する設定電流値と等しくなるべく導通時間を増減する制御を行う。
【００３６】
８は入力検知手段で、平滑コンデンサ３の電圧を検知しており、位相検知手段７の出力信号に基づいてピーク位相においてインバータ回路４へ入力する電圧を検知する。よって、この検知電圧が低下すれば、位相検知手段の出力信号が周期的でないためにピーク位相で検知出来ていない、或いは位相検知手段の出力信号は周期的であるが電源電圧が低下しているものと判断される。どちらの場合でも、入力電流検知手段６ｂによる入力電流量は設定電流値より少なくなるため、導通時間を増加して火力に対応する設定電流値へと調整する必要はない。よって、スイッチング素子４ａの導通時間を一定としたまま加熱動作を継続し、入力検知手段はピーク位相以外の位相についても連続的に検知を行い、電源電圧が低ければ停電であると判断してスイッチング素子の導通を停止するが、電源電圧が低くなければインバータ動作を継続する。
【００３７】
図２において、（ａ）は交流電源である商用電源１の電圧波形、（ｂ）は整流回路２の出力波形、（ｃ）は位相検知手段７の出力信号、（ｄ）は入力電流検知手段６ｂの検知タイミング、（ｅ）はスイッチング素子４ａの導通時間である。
【００３８】
（ａ）に示すように商用電源１にノイズが重畳された場合、整流回路２の出力波形（ｂ）は、平滑コンデンサ３によってノイズ成分は平滑されて、インバータ回路４に入力される。
【００３９】
位相検知手段の出力波形（ｃ）はノイズの影響を受けて不規則となり、（ｄ）に示すように入力電流検知手段６ｂの検知タイミングは電源位相のピークから外れた低い電源位相での入力電流を検知する。よって、入力電流検知手段６ｂは低い値を検知するが、同時に入力検知手段８もピーク位相よりも電圧が低いことを検知するため、入力電流を増加する制御には至らない。
【００４０】
さらに、入力検知手段８は連続してインバータ回路４に入力する電圧を検知し、その間、スイッチング素子の導通時間は一定のままインバータ回路４の動作は継続するため、ノイズ等により火力が弱まったり、或いは加熱が停止することがなく、停電等により電圧が低下していればインバータ回路４の動作を停止して、停電復帰時において急激に火力が入力されることがなく安定した動作が確保される。
【００４１】
また、所定の時間が経過しても位相検知出力７の出力信号が検知できない場合、電源が供給されているのかどうか入力検知手段８によりピーク位相のみならず全ての位相で連続してインバータ回路４に入力する電圧を検知し、その間、スイッチング素子の導通時間は一定のままとしてインバータ回路４の動作は継続される。よって、単に位相検知出力７の出力信号が検知されないから停電状態と見なしてスイッチング素子４ａのオンオフを停止することがないため、電源が供給されているにもかかわらず、ノイズによる誤動作で加熱しない状態を防ぐ。
【００４２】
以上のように、本実施例においては、ノイズ等による電源異常によって位相検知手段の出力信号が周期的でなくなった場合に、スイッチング素子の導通時間を一定としてインバータ回路の動作を継続することにより、加熱停止する機会を減らすことが可能となり、また、インバータ回路の入力部に備えられた平滑コンデンサの電圧低下を入力検知手段によって検知した場合には、停電と判断し、スイッチング素子の導通時間を短くして、または加熱を停止するといった変更を行い、位相検知手段の出力信号が周期性を回復したり、電源が復帰した時に、急激に火力が入力されることがなく安定した動作が確保される。
【００４３】
さらに、所定の時間が経過しても位相検知出力の出力信号が検知できない場合、電源が供給されているのかどうか入力検知手段からピーク位相のみならず全ての位相で連続してインバータ回路に入力する電圧を検知し、その間、スイッチング素子の導通時間は一定のままとしてインバータ回路の動作は継続される。よって、単に位相検知出力の出力信号が検知されないから停電状態と見なしてスイッチング素子のオンオフを停止することがないため、電源が供給されているにもかかわらず、ノイズによる誤動作で加熱を停止する状態を減らすことが可能となる。
【００４４】
（実施例２）
次に、図３を参照して本発明の実施例２を説明する。
【００４５】
図３は、本発明の第２の実施例における誘導加熱調理器の構成を示すものである。図３において、実施例１に記載の構成と異なる点は、入力検知手段８は整流回路２の一次側ラインに接続されており、入力段の抵抗分圧構成を位相検知手段７と共有している部分である。
【００４６】
以上のように構成された誘導加熱調理器について、その動作を説明する。
【００４７】
図３において、図１では整流回路２の出力端子に接続してインバータ回路４へ入力する電圧を検知していた入力検知手段８を、整流回路２の入力端子に接続して検知するため、実施例１と同等の効果を有し、尚かつ、入力段に必要とされる高電力型の抵抗を位相検知手段７と共用することが可能となるため、安価に実施例１と同等の効果を実現することができる。
【００４８】
（実施例３）
次に、図４、５を参照して本発明の実施例３を説明する。
【００４９】
図４は、本発明の第３の実施例における誘導加熱調理器の構成を示し、図５は入力電流とスイッチング素子の導通時間の相関を示すものである。
【００５０】
図４において、実施例１に記載のものと異なる構成は、入力検知手段８を入力電流検知手段６ｂと兼用し、入力電流とスイッチング素子の導通時間の相関よりインバータ回路４への入力を検知する点にある。
【００５１】
図５は、縦軸に入力電流、横軸にスイッチング素子の導通時間をとり、インバータ回路４に入力される入力電流の特性について、設計標準と電源が低下した場合の特性を示す。特性から明らかなように、電源が低下すると同じ導通時間でも入力電流が低下するため、実施例１、２の構成要素である入力検知手段８と同等の検知が可能となる。
【００５２】
以上のように構成された誘導加熱調理器について、その動作を説明する。図４において、入力電流検知手段６ａを入力検知手段８として共用し、スイッチング素子４ａの導通時間に対して所定量の電流が入力されているかを検知することで入力検知手段８としての効果を得て、実施例１と同等の効果を有するとともに、かつ入力電流検知回路６ａを共用することで安価に実現することができる。
【００５３】
（実施例４）
次に、図６を参照して本発明の実施例４を説明する。
【００５４】
本実施例の構成は、図１に記載のものと同様である。図６は、その各回路ブロックの波形を示すものである。
【００５５】
図６において、図２と同様に（ａ）は商用電源１の電圧波形、（ｂ）は整流回路２の出力波形、（ｃ）は位相検知手段７の出力信号、（ｄ）は入力電流検知手段６ｂの検知タイミング、（ｅ）はスイッチング素子４ａの導通時間を示す。
【００５６】
第４の実施例において、第１の実施例と同様に、位相検知手段の出力波形（ｃ）はノイズの影響を受けて不規則となっている状態を入力検知手段８によって認識し、スイッチング素子の導通時間を一定としたままインバータ回路４への電圧を連続して認識する。ここで、第１の実施例と異なる点は、スイッチング素子の導通時間は一定のままインバータ回路が動作を継続している場合に、入力手段からの入力を検知することで現状と異なる制御が必要であると判断して導通時間を短くして、または加熱を停止する。
【００５７】
よって、手動による加熱停止制御を可能として、停電誤検知により加熱停止する機会を減らすことが可能となるとともに、電源供給が停止された場合にはスイッチング素子の導通を停止することで、電源復帰時に急激に火力が入力されることがなく安定した動作が確保される。
【００５８】
尚、入力手段６ａに入力されたキーの種類によっては、加熱を停止するのみでなく、導通時間を増加する、或いは減少するという制御を可能とすることで、位相検知手段７が正常に動作しない場合でも、火力調節が可能な加熱動作が実現することは言うまでもない。
【００５９】
（実施例５）
次に、図７を参照して本発明の実施例５を説明する。
【００６０】
本実施例の構成は、図１に記載のものと同様である。図７は、その各回路ブロックの波形を示すものである。
【００６１】
図７において、図２と同様に（ａ）は商用電源１の電圧波形、（ｂ）は整流回路２の出力波形、（ｃ）は位相検知手段７の出力信号、（ｄ）は入力電流検知手段６ｂの検知タイミング、（ｅ）はスイッチング素子４ａの導通時間を示す。
【００６２】
第５の実施例において、第１の実施例と同様に、位相検知手段の出力波形（ｃ）はノイズの影響を受けて出力信号が正常に出力されないため、スイッチング素子の導通時間を一定としたままインバータ回路４への入力電圧をピーク位相に限らず連続して検知する。ここで、第１の実施例と異なる点は、スイッチング素子の導通時間は一定のままインバータ回路が動作を継続している場合に、位相検知手段７の出力信号を検知した後、スイッチング素子４ａのオンオフを一旦停止して、再度、加熱開始する制御を行う。
【００６３】
よって、単に位相検知出力の出力信号が検知されないから停電状態と見なしてスイッチング素子のオンオフを停止することがないため、電源が供給されているにもかかわらず、ノイズによる誤動作で加熱しない状態を減らすことが可能となる。
【００６４】
さらに、停電が発生した後、電源が復帰した場合においても、電源復帰直後にインバータ回路４の動作を一旦停止して、再度加熱開始するため、急激に火力が入力されることがなく安定した動作が確保される。
【００６５】
なお、本実施例においては、入力電流検知手段６ｂから出力される入力電流の値を検知タイミングにおいて検知して、設定電流値と等しくするべく導通時間を増減する変更を即座に行う制御としているが、導通時間の変更を商用電源１が反転するタイミングにて行うことで、加熱コイル５に流れる電流の急峻な変化を防ぎ、安定したインバータ動作が得られることは言うまでもない。
【００６６】
【発明の効果】
以上のように、請求項１〜６に記載の発明によれば、ノイズ等により、加熱停止する機会を減らすことが可能となり、ノイズの影響が無くなったり、電源が復帰した時に、急激に火力が入力されることがなく安定した動作が確保される。
【図面の簡単な説明】
【図１】  本発明の実施例１における誘導加熱調理器の回路ブロック図
【図２】  同各回路ブロックにおけるノイズ重畳時の波形を示す図
【図３】  本発明の実施例２における誘導加熱調理器の回路ブロック図
【図４】  本発明の実施例３における誘導加熱調理器の回路ブロック図
【図５】  入力電流とスイッチング素子の導通時間との関係を示す特性図
【図６】  本発明の実施例４に係る誘導加熱調理器における、ノイズ重畳時の各回路ブロックの波形を示す図
【図７】  本発明の実施例５に係る誘導加熱調理器における、ノイズ重畳時の各回路ブロックの波形を示す図
【図８】  従来の誘導加熱調理器の回路ブロック図
【図９】  同各回路ブロックの波形を示す図
【図１０】  同各回路ブロックにおけるノイズ重畳時の波形を示す図
【符号の説明】
１  商用電源
２  整流回路
３  平滑コンデンサ
４  インバータ回路部
４ａ  スイッチング素子
４ｂ  共振コンデンサ
５  加熱コイル
６  制御部
６ａ  入力手段
６ｂ  入力電流検知部
７  位相検知手段
８  入力検知手段
【図１】
0003823772.tif 000002
【図２】
0003823772.tif 000003
【図３】
0003823772.tif 000004
【図４】
0003823772.tif 000005
【図５】
0003823772.tif 000006
【図６】
0003823772.tif 000007
【図７】
0003823772.tif 000008
【図８】
0003823772.tif 000009
【図９】
0003823772.tif 000010
【図１０】
0003823772.tif 000011